(57)【要約】  薬剤送達デバイスであって：薬剤容器を収容するように配置されたハウジングであって、薬剤容器は薬剤容器を封止し薬剤を変位させるためのピストンを有する、ハウジングと；起動されたときピストンを押して薬剤を変位させるように配置された薬剤送達機構と；薬剤送達機構が起動されたとき薬剤送達機構の線形運動をトルクに変換して回転部材を回転させるように薬剤送達機構に連結された駆動機構とを含む、薬剤送達デバイス。
2020513902.tif 000002
【特許請求の範囲】
【請求項１】
薬剤送達デバイスであって：
薬剤容器を収容するように配置されたハウジングであって、薬剤容器は該薬剤容器を封止し薬剤を変位させるためのピストンを有する、ハウジングと；
起動されたときピストンを押して薬剤を変位させるように配置された薬剤送達機構と；
該薬剤送達機構が起動されたとき薬剤送達機構の線形運動をトルクに変換して回転部材を回転させるように薬剤送達機構に連結された駆動機構とを含む、前記薬剤送達デバイス。
【請求項２】
回転部材は、インジケータシステムに連結される、請求項１に記載の薬剤送達デバイス。
【請求項３】
インジケータシステムは、インジケータ部材および目盛りを含み、インジケータ部材は、回転部材が回転するとインジケータ部材が目盛りに沿って動き、薬剤容器内に収容されている薬剤の量を示すように回転部材に配置される、請求項２に記載の薬剤送達デバイス。
【請求項４】
目盛りの第１の端部は、満杯の薬剤容器を表し、目盛りの第２の端部は、空の薬剤容器を表す、請求項３に記載の薬剤送達デバイス。
【請求項５】
回転部材は、エネルギー発生装置に連結されたギアホイールである、請求項１に記載の薬剤送達デバイス。
【請求項６】
エネルギー発生装置は、ダイナモを含む、請求項５に記載の薬剤送達デバイス。
【請求項７】
光源をさらに含み、ここで、該光源は、エネルギー発生装置によって電力供給される、請求項５または６に記載の薬剤送達デバイス。
【請求項８】
駆動機構は、該駆動機構とピストンとの間に配置された板部材を含む、請求項１〜７のいずれか１項に記載の薬剤送達デバイス。
【請求項９】
駆動機構は、第１のプーリと、該第１のプーリの周縁の上を通るケーブルとをさらに含み、該ケーブルは回転部材の上を進む、請求項８に記載の薬剤送達デバイス。
【請求項１０】
駆動機構は、第１のプーリと、該第１のプーリの周縁の上を通るケーブルと、該ケーブルに連結されたラックギアと、該ラックギアに回転可能に係合された第１のピニオンギアとをさらに含み、板部材は、ケーブルに固定して取り付けられ、第１のピニオンギアは、第１のギアホイールに回転可能に係合される、請求項８に記載の薬剤送達デバイス。
【請求項１１】
駆動機構は、第２のプーリをさらに含み、ケーブルは、第２のプーリの周縁の上を通り、第２のプーリは、ラックギアを動かすように構成される、請求項１０に記載の薬剤送達デバイス。
【請求項１２】
薬剤送達デバイスは、ボーラス注射器である、請求項１〜１１のいずれか１項に記載の薬剤送達デバイス。
【請求項１３】
薬剤容器は、液体薬剤を収容する、請求項１〜１２のいずれか１項に記載の薬剤送達デバイス。
【請求項１４】
薬剤送達デバイス内でトルクを回転部材へ提供する方法であって、薬剤送達機構の起動により、該薬剤送達機構に連結された駆動機構が、薬剤送達機構の線形運動をトルクに変換して回転部材を回転させる、前記方法。
【発明の詳細な説明】
【技術分野】
【０００１】
本発明は、患者へ薬剤を送達するデバイスに関する。
【背景技術】
【０００２】
薬剤の注射による定期的な治療を必要とする様々な疾病が存在し、そのような注射は、注射デバイスを使用することによって実行することができる。薬剤の注射を送達するための様々な注射デバイスが、当技術分野では知られている。支持を集めている別のタイプの注射ポンプは、ボーラス注射デバイスである。いくつかのボーラス注射デバイスは、比較的大きい容量、典型的には少なくとも１ｍｌ、場合により数ｍｌの薬剤とともに使用されることが意図される。そのような大容量の薬剤の注射には、数分またはさらには数時間かかる可能性がある。そのような大容量ボーラス注射デバイスを、大容量デバイス（ＬＶＤ）と呼ぶことができる。通常、そのようなデバイスは、患者自身によって操作されるが、医療従事者によって操作されることもある。
【０００３】
ＬＶＤなどの注射デバイスを使用するために、注射デバイスはまず、患者の皮膚の好適な注射部位で支持される。設置された後、患者または別の人物（使用者）によって、注射が開始される。典型的には、開始は、使用者が電気スイッチを操作することによって行われ、それによりコントローラがデバイスを動作させる。動作は、まず針を使用者に注射し、次いで使用者の組織内へ薬剤を注射することを含む。長く知られている液体薬剤に比べて、より粘性の高い注射可能な液体を含み、より大容量で投与される生物学的薬剤が、ますます開発されている。そのような生物学的薬剤を投与するためのＬＶＤには、充填済みの使い捨て薬物送達デバイス、または別法として、患者もしくは医療従事者が使用前に薬物カートリッジを挿入しなければならない使い捨ての薬物送達デバイスが含まれる。
【発明の概要】
【発明が解決しようとする課題】
【０００４】
患者によって操作されるいくつかのＬＶＤでは、最初から最後までの薬物送達プロセスが時間のかかるプロセスになり、注射プロセスが完了したかどうかを患者が判定するのが難しいことがある。いくつかの薬剤送達デバイスは、デバイス内に現在収容されている薬剤の量または薬剤容器が空かどうかを示す光源およびインジケータシステムを含む内蔵機器を備えている。内蔵機器を有するこれらのデバイスのいくつかでは、内蔵機器に電力供給するために電池が提供される。しかし、これらのデバイスは、薬剤を送達するために使用されるまで、比較的長期間にわたって収納されることが多い。問題は、この収納時間中に電池の腐食および漏れが生じ得ることである。
【課題を解決するための手段】
【０００５】
本発明の一態様によれば、薬剤送達デバイスであって：薬剤容器を収容するように配置されたハウジングであって、薬剤容器は薬剤容器を封止し薬剤を変位させるためのピストンを有する、ハウジングと；起動されたときピストンを押して薬剤を変位させるように配置された薬剤送達機構と；薬剤送達機構が起動されたとき薬剤送達機構の線形運動をトルクに変換して回転部材を回転させるように薬剤送達機構に連結された駆動機構とを含む、薬剤送達デバイスが提供される。
【０００６】
回転部材は、インジケータシステムに連結することができる。
【０００７】
インジケータシステムは、インジケータ部材および目盛りを含むことができ、ここで、インジケータ部材は、回転部材が回転するとインジケータ部材が目盛りに沿って動き、薬剤容器内に収容されている薬剤の量を示すように回転部材に配置される。
【０００８】
目盛りの第１の端部は、満杯の薬剤容器を表すことができ、目盛りの第２の端部は、空の薬剤容器を表すことができる。
【０００９】
回転部材は、エネルギー発生装置に連結されたギアホイールとすることができる。
【００１０】
エネルギー発生装置は、ダイナモを含むことができる。
【００１１】
薬剤送達デバイスは、光源をさらに含むことができ、ここで、光源は、エネルギー発生装置によって電力供給される。
【００１２】
駆動機構は、駆動機構とピストンとの間に配置された板部材を含むことができる。
【００１３】
駆動機構は、第１のプーリと、第１のプーリの周縁の上を通るケーブルとをさらに含むことができ、ケーブルは回転部材の上を進む。
【００１４】
駆動機構は、第１のプーリと、第１のプーリの周縁の上を通るケーブルと、ケーブルに連結されたラックギアと、ラックギアに回転可能に係合された第１のピニオンギアとをさらに含むことができ、ここで、板部材は、ケーブルに固定して取り付けられ、第１のピニオンギアは、第１のギアホイールに回転可能に係合される。
【００１５】
駆動機構は、第２のプーリをさらに含むことができ、ケーブルは、第２のプーリの周縁の上を通ることができ、第２のプーリは、ラックギアを動かすように構成される。
【００１６】
薬剤送達デバイスは、ボーラス注射器とすることができる。
【００１７】
薬剤容器は、液体薬剤を収容することができる。
【００１８】
本発明の一態様によれば、薬剤送達デバイス内でトルクを回転部材へ提供する方法が提供され、薬剤送達機構の起動により、薬剤送達機構に連結された駆動機構が、薬剤送達機構の線形運動をトルクに変換して回転部材を回転させる。
【００１９】
本発明の上記その他の態様は、後述する実施形態から明らかになり、それらの実施形態を参照することによって解明される。
【００２０】
本発明の例示的な実施形態について、添付の図面を参照して説明する。
【図面の簡単な説明】
【００２１】
【図１】第１の実施形態による薬剤送達デバイスの概略図である。
【図２】第２の実施形態による薬剤送達デバイスの概略図である。
【図３Ａ】第３の実施形態による初期状態の薬剤送達デバイスの概略図である。
【図３Ｂ】第３の実施形態による最終状態の薬剤送達デバイスの概略図である。
【図４】第４の実施形態による薬剤送達デバイスの概略図である。
【図５Ａ】第５の実施形態による初期状態の薬剤送達デバイスの概略図である。
【図５Ｂ】第５の実施形態による最終状態の薬剤送達デバイスの概略図である。
【図６Ａ】第６の実施形態による薬剤送達デバイスの概略図である。
【図６Ｂ】第７の実施形態による薬剤送達デバイスの概略図である。
【図６Ｃ】第８の実施形態による薬剤送達デバイスの概略図である。
【発明を実施するための形態】
【００２２】
次に実施形態を詳細に参照する。これらの実施形態の例は添付の図面に示されており、図面全体にわたって同じ参照番号が同様の要素を指す。
【００２３】
回転部材を回転させる駆動機構を有する薬剤送達デバイスが提供される。薬剤送達デバイスは、薬剤容器を収容するように配置されたハウジングであって、薬剤容器は薬剤容器を封止し薬剤を変位させるためのピストンを有する、ハウジングと；起動されたときピストンを押して薬剤を変位させるように配置された薬剤送達機構と；薬剤送達機構が起動されたとき薬剤送達機構の線形運動をトルクに変換して回転部材を回転させるように薬剤送達機構に連結された駆動機構とを含む。
【００２４】
このトルクを提供して回転部材を回転させることによって、内部システムを駆動することができる。いくつかの実施形態によれば、内部機構は、インジケータシステムまたはエネルギー発生装置とすることができる。したがって、薬剤を患者へ送達するために使用されるエネルギーは、患者にデバイス内の薬剤の量を示すこと、または薬剤送達デバイス内の周辺システムに電力供給することなど、他の目的で取り入れることもできる。
【００２５】
薬物送達デバイスは、本明細書に記載するように、薬剤を患者へ注射するように構成することができる。たとえば、送達は、皮下、筋肉内、または静脈内で行うことができる。そのようなデバイスは、患者または看護師もしくは医師などの医療従事者が操作することができ、様々なタイプの安全シリンジ、ペン注射器、または自動注射器を含むことができる。デバイスは、封止されたアンプルを使用前に穿孔する必要のあるカートリッジ式のシステムを含むことができる。これらの様々なデバイスによって送達される薬剤の容量は、約０．５ｍｌ〜約２ｍｌの範囲とすることができる。さらに別のデバイスは、「大」容量の薬剤（典型的には、約２ｍｌ〜約１０ｍｌ）を送達するための時間（たとえば、約５、１５、３０、６０、または１２０分）にわたって患者の皮膚に付着するように構成された大容量デバイス（「ＬＶＤ」）またはパッチポンプを含むことができる。
【００２６】
特有の薬剤と組み合わせて、本明細書に記載するデバイスはまた、必要とされる仕様の範囲内で動作するようにカスタマイズすることができる。たとえば、デバイスは、特定の時間（たとえば、自動注射器の場合は約３〜約２０秒、ＬＶＤの場合は約１０分〜約６０分）の範囲内で薬剤を注射するようにカスタマイズすることができる。他の仕様には、低レベルもしくは最小レベルの不快さ、または人的要因、保管寿命、有効期限、生体適合性、環境的考慮などに関係する特定の条件を含むことができる。そのような変動は、たとえば、薬物の粘性が約３ｃＰ〜約５０ｃＰの範囲に及ぶことなど、様々な要因により生じることがある。したがって、薬物送達デバイスは、サイズが約２５〜約３１ゲージの範囲の中空の針を含むことが多い。一般的なサイズは、２７および２９ゲージである。
【００２７】
本明細書に記載する送達デバイスはまた、１つまたはそれ以上の自動機能を含むことができる。たとえば、針の挿入、薬剤の注射、および針の後退のうちの１つまたはそれ以上を自動化することができる。１つまたはそれ以上の自動化工程のためのエネルギーは、１つまたはそれ以上のエネルギー源によって提供することができる。エネルギー源は、たとえば、機械、空気圧、化学、または電気エネルギーを含むことができる。たとえば、機械エネルギー源は、エネルギーを貯蔵または解放するばね、てこ、エラストマー、または他の機械的機構を含むことができる。１つまたはそれ以上のエネルギー源は、組み合わせて単一のデバイスにすることができる。デバイスは、エネルギーをデバイスの１つまたはそれ以上の構成要素の動きに変換するギア、バルブ、または他の機構をさらに含むことができる。
【００２８】
いくつかの送達デバイスは、安全シリンジ、ペン注射器、または自動注射器の１つまたはそれ以上の機能を含むことができる。たとえば、送達デバイスは、薬剤を自動的に注射するように構成された機械エネルギー源（典型的には、自動注射器に見られる）および用量設定機構（典型的には、ペン注射器で見られる）を含むことができる。
【００２９】
図１は、第１の実施形態による薬剤送達デバイスの概略図である。以下、デバイスについて大容量デバイス（ＬＶＤ）の文脈で説明するが、別法として別のタイプのボーラス注射器とすることもできることが理解されよう。
【００３０】
本発明の第１の実施形態による薬剤送達デバイス１０が、図１に示されている。薬剤送達デバイス１０は、出口を有する薬剤容器１５を収容するハウジング１１を含む。薬剤容器１５は、液体薬剤１６を収容し、液体薬剤１６は、薬剤容器１５内に位置するピストン、ストッパ、または栓１４によって封止される。初期状態で、ピストン１４は、薬剤容器１５の出口から最も遠い位置に配置される。
【００３１】
薬剤送達機構１２もハウジング１１内に配置され、薬剤送達機構１２は、起動されたときピストン１４を薬剤容器１５の出口の方へ押すように配置される。薬剤容器１５の出口は、流体経路に連結される。流体経路の一方の端部は、薬剤容器１５の出口に連結され、流体経路の他方の端部は、針注射システム２３に連結される。針注射システム２３は中空の注射針を含み、ピストン１４が薬剤容器１５の出口の方へ流体経路を通って押されると、注射針を通って薬剤を変位させることができる。
【００３２】
本実施形態では、薬剤送達機構１２は駆動ばねを含み、駆動ばねは最初は圧縮状態にあり、ばねエネルギーを貯蔵しており、薬剤送達機構１２が起動されたとき解放される。薬剤送達機構１２とピストン１４との間には、板部材１３が配置される。板部材１３は、ピストン１４とともに可動であり、したがって薬剤送達機構１２が起動されたとき板部材１３およびピストン１４に押す力をかける。本実施形態では、板部材１３は、駆動機構の一部であるケーブル１７に固定して取り付けられる。
【００３３】
本実施形態では、駆動機構は、第１のプーリ１８、ラックギア１９、第１のピニオンギア２１、および回転部材２２をさらに含む。ケーブル１７は、第１のプーリ１８の周縁の上を通り、したがってケーブル１７にかかる力の方向は、第１のプーリ１８で逆になる。第１のピニオンギア２１は、ラックギア１９に回転可能に係合され、回転部材２２は、第１のピニオンギア２１に回転可能に係合される。
【００３４】
この実施形態では、板部材１３がケーブル１７に固定して取り付けられているため、薬剤送達機構１２によって第１の方向に（すなわち、図１で右へ）かけられる押す力を受けて、板部材１３が薬剤容器１５の出口の方へ線形に動くと、ケーブル１７にも第１の方向に線形の力がかけられる。この線形の力の方向は、第１のプーリ１８で逆になり、したがって力は第２の方向にラックギア１９に作用し、第２の方向は第１の方向とは反対である。
【００３５】
図１に示すラックギア１９は、その表面に配置された複数の歯に匹敵する。第２の方向にラックギア１９にかけられる線形の力により、ラックギア１９は所定の空間内で線形に動く。本実施形態では、ラックギア１９は、ケーブル１７によって第２の方向の方へ引っ張られ、したがってラックギア１９の複数の歯が、第１のピニオンギア２１と噛合する。ラックギア１９の複数の歯と第１のピニオンギア２１との間の噛合作用により、第１のピニオンギア２１が回転する。第１のピニオンギア２１が回転すると、回転部材２２と噛合し、回転部材２２を回転させる。言い換えれば、この実施形態では、駆動機構の構成が、薬剤送達機構の線形運動をトルクに変換して回転部材２２を回転させる。この実施形態では、第１のピニオンギア２１と回転部材２２との間の噛合を容易にするために、回転部材２２はギアホイールであり、その周縁に複数の歯を含む。
【００３６】
後の図面に対してさらに詳細に説明するように、回転部材２２の回転を利用して、エネルギー発生装置および／またはインジケータシステムなどの内部装置またはシステムを駆動させる。
【００３７】
図２は、第２の実施形態による薬剤送達デバイスの概略図である。
【００３８】
第２の実施形態の薬剤送達デバイス２０は、第１の実施形態の薬剤送達デバイス１０に類似しており、インジケータ部材２４および目盛り２５を含むインジケータシステムが追加されている。この実施形態では、この斜視図において、インジケータ部材２４が目盛り２５の上に配置される。
【００３９】
この実施形態では、インジケータシステムのインジケータ部材２４は、回転部材２２の表面に配置された狭く細長い部材であり、回転部材２２の中心から外方へ延びる。インジケータ部材２４は、回転部材２２に固定して取り付けられており、したがって回転部材２２が回転すると、インジケータ部材２４の外端部が目盛り２５に沿って動く。
【００４０】
この実施形態では、目盛り２５は回転目盛りであり、インジケータ部材２４の外端部の掃引運動に適合するように湾曲した形状を有している。目盛り２５の第１の端部は、薬剤容器１５が満杯であることを表し、目盛り２５の第２の端部は、薬剤容器１５が空であることを表す。したがって、インジケータ部材２４の外端部が目盛り２５に沿って指し示すため、使用者は、この薬剤容器１５内に現在収容されている薬剤の量を判定することが可能である。
【００４１】
薬剤送達機構１２が起動されたとき薬剤送達機構１２の駆動ばねが解放され、板部材１３およびピストン１４に押す力をかける。板部材１３がケーブル１７に固定して取り付けられているため、薬剤送達機構１２によって第１の方向に（すなわち、図２で右へ）かけられる押す力を受けて、板部材１３が薬剤容器１５の出口の方へ線形に動くと、ケーブル１７にも第１の方向に線形の力がかけられる。この線形の力の方向は、第１のプーリ１８で逆になり、したがって力は第２の方向にラックギア１９に作用し、第２の方向は第１の方向とは反対である。
【００４２】
第２の方向にラックギア１９にかけられる線形の力により、ラックギア１９は所定の空間内で線形に動く。本実施形態では、ラックギア１９は、ケーブル１７によって第２の方向の方へ引っ張られ、したがってラックギア１９の複数の歯が、第１のピニオンギア２１と噛合する。ラックギア１９の複数の歯と第１のピニオンギア２１との間の噛合作用により、第１のピニオンギア２１が回転する。第１のピニオンギア２１が回転すると、回転部材２２と噛合し、回転部材２２を回転させる。言い換えれば、この実施形態では、駆動機構の構成の結果、回転部材２２にトルクが提供される。
【００４３】
したがって、薬剤容器１５内に収容されている薬剤１６が薬剤容器１５の出口を通って変位させられるにつれて、インジケータ部材２４の外端部は、目盛り２５に沿って一方の端部から他方の端部へ掃引し、使用者は、薬剤容器１５内に現在収容されている薬剤の量を判定することが可能になる。
【００４４】
薬剤送達デバイス２０のハウジング１１には、インジケータシステムに透過窓（図２には図示せず）が提供され、使用者は、デバイス２０の内部を見て、目盛り２５に沿ってインジケータ部材２４の外端部の位置を判定することが可能になる。
【００４５】
図３Ａおよび図３Ｂは、第３の実施形態によるそれぞれ初期状態および最終状態の薬剤送達デバイスの概略図である。
【００４６】
図３Ａおよび図３Ｂに示す第３の実施形態の薬剤送達デバイス３０は、第１の実施形態の薬剤送達デバイス１０に類似しており、インジケータ部材２６および目盛り２７を含むインジケータシステムが追加されている。
【００４７】
この実施形態では、インジケータシステムのインジケータ部材２６は、回転部材２２の表面に配置されたファン状の部材であり、回転部材２２の中心から外方へ延びる。目盛り２７は、インジケータ部材２６の上に配置された平坦なカバー部材の弧状のアパーチャである。インジケータ部材２６は、回転部材２２に固定して取り付けられており、したがって回転部材２２が回転すると、インジケータ部材２６も回転し、弧状のアパーチャ（目盛り２７）を覆う。
【００４８】
この実施形態では、弧状の目盛り２７は回転目盛りであり、回転するとインジケータ部材２６の掃引運動に適合される。図３Ａに示すように、初期状態で、すなわち注射前、インジケータ部材２６は弧状の目盛り２７が実質上覆われていない位置にあり、これは薬剤容器１５が満杯であることを表す。図３Ｂに示すように、最終状態で、すなわち注射後、インジケータ部材２６は弧状の目盛り２７が完全に覆われた位置にあり、これは薬剤容器が空であることを表す。したがって、回転部材２２の回転によりインジケータ部材２６が回転すると、使用者は、この薬剤容器１５内に現在収容されている薬剤の量を判定することが可能である。
【００４９】
薬剤送達機構１２が起動されたとき薬剤送達機構１２の駆動ばねが解放され、板部材１３およびピストン１４に押す力をかける。板部材１３がケーブル１７に固定して取り付けられているため、薬剤送達機構１２によって第１の方向に（すなわち、図３Ａおよび図３Ｂで右へ）かけられる押す力を受けて、板部材１３が薬剤容器１５の出口の方へ線形に動くと、ケーブル１７にも第１の方向に線形の力がかけられる。この線形の力の方向は、第１のプーリ１８で逆になり、したがって力は第２の方向にラックギア１９に作用し、第２の方向は第１の方向とは反対である。
【００５０】
第２の方向にラックギア１９にかけられる線形の力により、ラックギア１９は所定の空間内で線形に動く。本実施形態では、ラックギア１９は、ケーブル１７によって第２の方向の方へ引っ張られ、したがってラックギア１９の複数の歯が、第１のピニオンギア２１と噛合する。ラックギア１９の複数の歯と第１のピニオンギア２１との間の噛合作用により、第１のピニオンギア２１が回転する。第１のピニオンギア２１が回転すると、回転部材２２と噛合し、回転部材２２を回転させる。言い換えれば、この実施形態では、駆動機構の構成の結果、回転部材２２にトルクが提供される。
【００５１】
したがって、薬剤容器１５内に収容されている薬剤が薬剤容器１５の出口を通って変位させられるにつれて、インジケータ部材２６は、目盛り２７に沿って掃引して弧状のアパーチャを覆い、使用者は、薬剤容器１５内に現在収容されている薬剤の量を判定することが可能になる。
【００５２】
第２の実施形態と同様に、薬剤送達デバイス３０のハウジング１１には、インジケータシステムに透過窓（図３Ａおよび図３Ｂには図示せず）が提供され、使用者は、デバイス３０の内部を見て、目盛り２７に対するインジケータ部材２６の位置を判定することが可能になる。
【００５３】
図４は、第４の実施形態による薬剤送達デバイスの概略図である。
【００５４】
第４の実施形態の薬剤送達デバイス４０は、第１の実施形態の薬剤送達デバイス１０に類似しており、ウォームスクリュー２８、エネルギー発生装置２９、および光源３１が追加されている。
【００５５】
図４に示すように、この実施形態では、回転部材２２はウォームホイールであり、ウォームスクリュー２８を有するウォーム駆動配置（ｗｏｒｍ  ｄｒｉｖｅ  ａｒｒａｎｇｅｍｅｎｔ）を形成する。この実施形態では、ウォームホイール２２は複数の歯を含み、それによりウォームスクリュー２８の外面のねじ付き配置（ｔｈｒｅａｄｅｄ  ａｒｒａｎｇｅｍｅｎｔ）に噛合する。このウォーム駆動配置では、回転運動が９０°の角度だけ伝送される。具体的には、第１の軸におけるウォームホイール２２の回転運動は、第２の軸におけるウォームスクリュー２８の回転運動を引き起こし、第１の軸は第２の軸に直交している。
【００５６】
ウォームスクリュー２８は、エネルギー発生装置２９に機械的に連結される。この実施形態では、エネルギー発生装置２９は、機械的回転を直流電流に変換するように構成されたダイナモを含む。
【００５７】
エネルギー発生装置２９は、光源３１に電気的に連結されており、この実施形態では、光源３１は発光ダイオード（ＬＥＤ）である。したがって、エネルギー発生装置２９がウォームスクリュー２８の機械的回転を変換すると、光源３１が電力供給される。
【００５８】
薬剤送達機構１２が起動されたとき薬剤送達機構１２の駆動ばねが解放され、板部材１３およびピストン１４に押す力をかける。板部材１３がケーブル１７に固定して取り付けられているため、薬剤送達機構１２によって第１の方向に（すなわち、図４で右へ）かけられる押す力を受けて、板部材１３が薬剤容器１５の出口の方へ線形に動くと、ケーブル１７にも第１の方向に線形の力がかけられる。この線形の力の方向は、第１のプーリ１８で逆になり、したがって力は第２の方向にラックギア１９に作用し、第２の方向は第１の方向とは反対である。
【００５９】
第２の方向にラックギア１９にかけられる線形の力により、ラックギア１９は所定の空間内で線形に動く。本実施形態では、ラックギア１９は、ケーブル１７によって第２の方向の方へ引っ張られ、したがってラックギア１９の複数の歯が、第１のピニオンギア２１と噛合する。ラックギア１９の複数の歯と第１のピニオンギア２１との間の噛合作用により、第１のピニオンギア２１が回転する。第１のピニオンギア２１が回転すると、回転部材２２と噛合し、回転部材２２を回転させる。言い換えれば、この実施形態では、駆動機構の構成の結果、回転部材２２にトルクが提供される。
【００６０】
したがって、薬剤容器１５内に収容されている薬剤が薬剤容器１５の出口を通って変位させられるにつれて、この実施形態ではウォームホイールである回転部材２２は、ウォームスクリュー２８と噛合し、回転運動を９０°の角度だけ伝送する。ウォームスクリュー２８が回転すると、ウォームスクリュー２８が連結されているエネルギー発生装置によって、電流が生成される。本実施形態では、こうして生成されたエネルギーを使用して、光源３１に電力供給する。
【００６１】
代替実施形態では、第４の実施形態のエネルギー発生装置は、光源に直接連結するのではなく、キャパシタなどのエネルギー貯蔵装置に電気的に連結することができる。これらの代替実施形態では、エネルギー発生装置で生成されるエネルギー（直流電流）は、エネルギー貯蔵装置に貯蔵することができ、後にデバイスで内蔵機器に電力供給するために使用することができる。
【００６２】
図５Ａおよび図５Ｂは、第５の実施形態によるそれぞれ初期状態および最終状態の薬剤送達デバイスの概略図である。
【００６３】
図５Ａおよび図５Ｂに示す第５の実施形態の薬剤送達デバイス５０は、第１の実施形態の薬剤送達デバイス１０に類似している。しかし、単独のプーリを駆動機構内で使用する代わりに、この実施形態では、駆動機構は、第１のプーリ３２および第２のプーリ３３を含む。この実施形態では、ケーブル１７はまず第１のプーリの周縁の上を通り、次いで第２のプーリ３３の周縁の上を通り、したがってケーブル１７と板部材１３との間の連結部で第１の方向に（すなわち、図５Ａで右へ）ケーブル１７に作用する線形の力は、第１のプーリ３２で逆になり、次いで第２のプーリ３３で再び逆になる。
【００６４】
第２のプーリ３３は、ラックギア１９に回転可能に取り付けられ、ラックギア１９とともに、デバイス５０にも同時に可動に取り付けられ、したがってデバイス５０内の所定の空間内でラックギア１９とともに線形に動かすことができる。したがって、第２のプーリ３３に引張り力がかけられると、第２のプーリ３３およびラックギア１９は、第１のプーリ３２の方へ（すなわち、図５Ａおよび図５Ｂで左へ）線形に動かされる。
【００６５】
この実施形態では、ケーブル１７の第１の端部は、板部材１３に取り付けられ、板部材１３は、薬剤送達機構１２とピストン１４との間に配置される。ケーブル１７の第２の端部は、デバイス５０のハウジング１１内に固定して取り付けられる。したがって、薬剤送達機構１２が起動されて板部材１３およびピストン１４を薬剤容器１５の出口の方へ押すと、ケーブル１７の第１の端部に押す力も作用し、したがってケーブル１７は板部材１３とともに線形に動く。
【００６６】
この線形の力の方向は、第１のプーリ３２で逆になり、したがって力は、第２の方向に第２のプーリ３３に作用し、第２の方向は第１の方向とは反対である。この力は、第２のプーリ３３およびラックギア１９を第２の方向の方へ引っ張るように作用し、したがってラックギア１９の複数の歯が、第１のピニオンギア２１と噛合する。第１のピニオンギア２１が回転すると、回転部材２２と噛合し、回転部材２２を回転させる。言い換えれば、この実施形態では、駆動機構の構成の結果、回転部材２２にトルクが提供される。薬剤送達機構１２が板部材１３およびピストン１４を薬剤容器１５の出口の方へ押すとき、第２の方向の方へ引張り力により、図５Ａおよび図５Ｂに示すように、ラックギア１９は、初期位置（図５Ａ）から最終位置（図５Ｂ）へ動く。
【００６７】
本実施形態では駆動機構内で２つのプーリを使用すると、第１の実施形態に比べて、より短いラックギアの使用が可能になるはずである。これは、デバイス内の他の構成要素のサイズまたは製造上の要件により特定の寸法的な制約を有するデバイスにとって有益である。
【００６８】
図６Ａは、第６の実施形態による薬剤送達デバイスの概略図である。図６Ｂは、第７の実施形態による薬剤送達デバイスの概略図である。図６Ｃは、第８の実施形態による薬剤送達デバイスの概略図である。
【００６９】
それぞれ図６Ａ〜６Ｃに示す第６、第７、および第８の実施形態は、類似の構成を適合させる。これらの実施形態では、薬剤送達デバイス６０、７０、８０は各々、出口を有する薬剤容器１５を収容するハウジング１１を含む。薬剤容器１５は、液体薬剤１６を収容し、液体薬剤１６は、薬剤容器１５内に位置するピストン、ストッパ、または栓１４によって封止される。初期状態で、ピストン１４は、薬剤容器１５の出口から最も遠い位置に配置される。
【００７０】
薬剤送達機構１２もハウジング１１内に配置され、薬剤送達機構１２は、起動されたときピストン１４を薬剤容器１５の出口の方へ押すように配置される。薬剤容器１５の出口は、流体経路に連結される。流体経路の一方の端部は、薬剤容器１５の出口に連結され、流体経路の他方の端部は、針注射システム２３に連結される。針注射システム２３は中空の注射針を含み、ピストン１４が薬剤容器１５の出口の方へ流体経路を通って押されると、注射針を通って薬剤を変位させることができる。
【００７１】
第６、第７、および第８の実施形態では、薬剤送達機構１２は駆動ばねを含み、駆動ばねは最初は圧縮状態にあり、ばねエネルギーを貯蔵しており、薬剤送達機構１２が起動されたとき解放される。薬剤送達機構１２とピストン１４との間には、板部材１３が配置され、したがって板部材１３は、薬剤送達機構１２が起動されたとき板部材１３およびピストン１４に押す力をかける。本実施形態では、板部材１３は、駆動機構の一部であるケーブル１７に固定して取り付けられる。
【００７２】
本実施形態では、駆動機構は、第１のプーリ１８および回転部材２２をさらに含む。ケーブル１７は、第１のプーリ１８の周縁の上を通り、したがってケーブル１７にかかる力の方向は、第１のプーリ１８で逆になる。次いでケーブルは、回転部材２２の周縁の上を通る。ケーブル１７の第１の端部は、板部材１３に固定して取り付けられ、ケーブル１７の第２の端部は、回転部材２２に固定して取り付けられる。したがって、薬剤送達機構１２によって第１の方向に（すなわち、図６Ａ、６Ｂ、および６Ｃで右へ）かけられる押す力を受けて、板部材１３が薬剤容器１５の出口の方へ線形に動くと、ケーブル１７にも第１の方向に線形の力がかけられる。この線形の力の方向は、第１のプーリ１８で逆になり、したがって力は第２の方向に回転部材２２に作用し、第２の方向は第１の方向とは反対である。
【００７３】
言い換えれば、これらの実施形態では、駆動機構の構成が、薬剤送達機構の線形運動をトルクに変換して回転部材２２を回転させる。第６および第７の実施形態では、回転部材２２は、回転部材２２の周縁とケーブル１７との間の摩擦を最大にするために粗い外面を含むホイールである。第８の実施形態では、回転部材２２は、ウォームスクリューと噛合するように配置されたウォームホイールである。これについて、図６Ｃに対してさらに詳細に説明する。
【００７４】
第６、第７、および第８の実施形態間の違いは、これらの実施形態の各々における回転部材２２が、異なる内部システムに連結されていることである。
【００７５】
図６Ａに示すように、第６の実施形態では、回転部材２２は、インジケータ部材２４および目盛り２５を含むインジケータシステムに連結されている。この実施形態では、インジケータシステムのインジケータ部材２４は、回転部材の表面に配置された狭く細長い部材であり、回転部材２２の中心から外方へ延びる。また、インジケータ部材２４が目盛りの上に配置される。インジケータ部材２４は、回転部材２２に固定して取り付けられており、したがって回転部材２２が回転すると、インジケータ部材２４の外端部が目盛り２５に沿って動く。
【００７６】
この実施形態では、目盛り２５は、インジケータ部材２４の外端部の掃引運動に適合するように湾曲した形状を有している。目盛り２５の第１の端部は、薬剤容器１５が満杯であることを表し、目盛り２５の第２の端部は、薬剤容器１５が空であることを表す。したがって、薬剤送達機構１２が板部材１３を薬剤容器１５の出口の方へ押すにつれて、インジケータ部材２４の外端部が目盛り２５に沿って指し示すため、使用者は、この薬剤容器１５内に現在収容されている薬剤の量を判定することが可能である。
【００７７】
薬剤送達デバイス６０のハウジング１１には、インジケータシステムに透過窓（図６Ａには図示せず）が提供され、使用者は、デバイス６０の内部を見て、目盛り２５に沿ってインジケータ部材２４の外端部の位置を判定することが可能になる。
【００７８】
図６Ｂに示すように、第７の実施形態では、回転部材２２は、インジケータ部材２６および目盛り２７を含むインジケータシステムに連結されている。
【００７９】
この実施形態では、インジケータシステムのインジケータ部材２６は、回転部材２２の表面に配置されたファン状の部材であり、回転部材２２の中心から外方へ延びる。目盛り２７は、インジケータ部材２６の上に配置された平坦なカバー部材の弧状のアパーチャである。インジケータ部材２６は、回転部材２２に固定して取り付けられており、したがって回転部材２２が回転すると、インジケータ部材２６も回転し、弧状のアパーチャ（目盛り２７）を覆う。
【００８０】
この実施形態では、弧状の目盛り２７は、回転するとインジケータ部材２６の掃引運動に適合される。したがって、回転部材２２の回転によりインジケータ部材２６が回転すると、使用者は、この薬剤容器１５内に現在収容されている薬剤の量を判定することが可能である。
【００８１】
図６Ｃに示すように、第８の実施形態では、回転部材２２はウォームホイールであり、ウォームスクリュー２８を有するウォーム駆動配置を形成する。この実施形態では、ウォームホイール２２は複数の歯を含み、それによりウォームスクリュー２８の外面のねじ付き配置に噛合する。このウォーム駆動配置では、回転運動が９０°の角度だけ伝送される。具体的には、第１の軸におけるウォームホイール２２の回転運動は、第２の軸におけるウォームスクリュー２８の回転運動を引き起こし、第１の軸は第２の軸に直交している。
【００８２】
ウォームスクリュー２８は、エネルギー発生装置２９に機械的に連結される。この実施形態では、エネルギー発生装置２９は、機械的回転を直流電流に変換するように構成されたダイナモを含む。
【００８３】
エネルギー発生装置２９は、光源３１に電気的に連結されており、この実施形態では、光源３１は発光ダイオード（ＬＥＤ）である。したがって、エネルギー発生装置２９がウォームスクリュー２８の機械的回転を変換すると、光源３１が電力供給される。
【００８４】
上述したように、薬剤容器１５内に収容されている薬剤が薬剤容器１５の出口を通って変位させられるにつれて、この実施形態ではウォームホイールである回転部材２２は、ウォームスクリュー２８と噛合し、回転運動を９０°の角度だけ伝送する。ウォームスクリュー２８が回転すると、ウォームスクリュー２８が連結されているエネルギー発生装置によって、電流が生成される。本実施形態では、こうして生成されたエネルギーを使用して、光源３１に電力供給する。
【００８５】
代替実施形態では、薬剤送達デバイスは、ボーラス注射器ではなくペン注射器とすることができる。
【００８６】
代替実施形態では、インジケータシステム内で回転および／または湾曲目盛りの代わりに、線形の目盛りを使用することができる。
【００８７】
代替実施形態では、駆動機構は、追加のギア要素を含むことができる。
【００８８】
代替実施形態では、第８の実施形態のエネルギー発生装置は、光源に直接連結するのではなく、キャパシタなどのエネルギー貯蔵装置に電気的に連結することができる。これらの代替実施形態では、エネルギー発生装置で生成されるエネルギー（直流電流）は、エネルギー貯蔵装置に貯蔵することができ、後にデバイスで内蔵機器に電力供給するために使用することができる。
【００８９】
代替実施形態では、薬剤送達デバイスは、ピストンと薬剤送達機構との間に板部材を含まなくてもよい。これらの代替実施形態では、代替の機械部材を使用して、薬剤送達機構および駆動機構を連結することができ、したがって薬剤送達機構の線形運動を駆動機構によってトルクに変換することができる。
【００９０】
代替実施形態では、薬剤送達機構は、駆動ばねを含まなくてもよい。これらの代替実施形態では、他のタイプの駆動要素を使用して、薬剤容器内でピストンに押す力をかけることができる。たとえば、油圧機構を用いて、ピストンに押す力をかけることができる。別の例として、駆動ばねの代わりに弾性変形可能な材料を使用して、駆動力を提供することもできる。これらの代替実施形態のいくつかでは、薬剤送達機構は、プランジャ要素を含むことができる。
【００９１】
代替実施形態では、薬剤送達デバイスは、ハウジングに透過窓を備えていなくてもよい。これらの代替実施形態では、薬剤送達デバイスのハウジングは、使用者がインジケータシステムの状態を見ることが可能になるように、透明材料から作ることができる。
【００９２】
本出願では特定の構成の組合せに対して特許請求の範囲を考案したが、本明細書でいずれかの請求項に記載の同じ発明に関するか否か、および本発明と同じ技術的な問題のいずれかまたはすべてを軽減するか否かにかかわらず、本開示の範囲はまた、本明細書に明示的もしくは暗黙に開示したあらゆる新規な構成もしくはあらゆる新規な構成の組合せまたはあらゆるその一般化を含むことを理解されたい。本出願人は本明細書によって、本出願または本出願から派生するあらゆるさらなる出願の手続き中に、そのような構成および／または構成の組合せに対して新しい請求項を考案することができることを通知する。
【００９３】
本発明の完全な範囲および精神から逸脱することなく、本明細書に記載する物質、考案、装置、方法、システム、および実施形態の様々な構成要素に修正（追加および／または削除）を加えることができ、本発明は、そのような修正およびそのあらゆる均等物を包含することが、当業者には理解されよう。
【００９４】
用語「薬物」または「薬剤」は、本明細書において同意語として使用され、１つまたはそれ以上の医薬品有効成分または薬学的に許容されるその塩もしくは溶媒和物と、場合により、薬学的に許容される担体とを含む医薬製剤を示す。医薬品有効成分（「ＡＰＩ」）とは、最も広範な言い方で、ヒトまたは動物に生物学的影響を及ぼす化学構造のことである。薬理学では、薬物または薬剤が、疾患の処置、治療、予防、または診断に使用され、またはそれとは別に、身体的または精神的健康を向上させるために使用される。薬物または薬剤は、限られた継続期間、または慢性疾患では定期的に、使用される。
【００９５】
以下に説明されるように、薬物または薬剤は、１つまたはそれ以上の疾患を処置するための、様々なタイプの製剤の少なくとも１つのＡＰＩ、またはその組合せを含むことができる。ＡＰＩの例としては、分子量が５００Ｄａ以下である低分子；ポリペプチド、ペプチド、およびタンパク質（たとえばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドが含まれ得る。核酸は、ベクター、プラスミド、またはリポソームなどの分子送達システムに組み込まれる。１つまたはそれ以上の薬物の混合物もまた企図される。
【００９６】
用語「薬物送達デバイス」は、薬物または薬剤をヒトまたは動物の体内に投薬するように構成されたあらゆるタイプのデバイスまたはシステムを包含するものである。それだけには限らないが、薬物送達デバイスは、注射デバイス（たとえばシリンジ、ペン型注射器、自動注射器、大容量デバイス、ポンプ、潅流システム、または眼内、皮下、筋肉内、もしくは血管内送達にあわせて構成された他のデバイス）、皮膚パッチ（たとえば、浸透圧性、化学的、マイクロニードル）、吸入器（たとえば鼻用または肺用）、埋め込み型デバイス（たとえば、薬物またはＡＰＩコーティングされたステント、カプセル）、または胃腸管用の供給システムとすることができる。ここで説明される薬物は、たとえば２４以上のゲージ数を有する、たとえば皮下針である針を含む注射デバイスでは特に有用であり得る。
【００９７】
薬物または薬剤は、薬物送達デバイスで使用するように適用された主要パッケージまたは「薬物容器」内に含まれる。薬物容器は、たとえば、カートリッジ、シリンジ、リザーバ、または１つもしくはそれ以上の薬物の保存（たとえば短期または長期保存）に適したチャンバを提供するように構成された他の固体もしくは可撓性の容器とすることができる。たとえば、場合によって、チャンバは、少なくとも１日（たとえば１日から少なくとも３０日まで）の間薬物を収納するように設計される。場合によって、チャンバは、約１ヶ月から約２年の間薬物を保存するように設計される。保存は、室温（たとえば約２０℃）または冷蔵温度（たとえば約−４℃から約４℃まで）で行うことができる。場合によって、薬物容器は、投与予定の医薬製剤の２つまたはそれ以上の成分（たとえばＡＰＩおよび希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に２つまたはそれ以上の成分間で混合することを可能にするように構成される。たとえば、２つのチャンバは、これらが（たとえば２つのチャンバ間の導管によって）互いに流体連通し、所望の場合、投薬の前にユーザによって２つの成分を混合することを可能にするように構成される。代替的に、またはこれに加えて、２つのチャンバは、成分がヒトまたは動物の体内に投薬されているときに混合することを可能にするように構成される。
【００９８】
本明細書において説明される薬物送達デバイス内に含まれる薬物または薬剤は、数多くの異なるタイプの医学的障害の処置および／または予防に使用される。障害の例としては、たとえば、糖尿病、または糖尿病性網膜症などの糖尿病に伴う合併症、深部静脈血栓塞栓症または肺血栓塞栓症などの血栓塞栓症が含まれる。障害の別の例としては、急性冠症候群（ＡＣＳ）、狭心症、心筋梗塞、がん、黄斑変性症、炎症、枯草熱、アテローム性動脈硬化症および／または関節リウマチがある。ＡＰＩおよび薬物の例としては、たとえば、それだけには限らないが、ハンドブックのＲｏｔｅ  Ｌｉｓｔｅ  ２０１４、主グループ１２（抗糖尿病薬物）または主グループ８６（腫瘍薬物）、およびＭｅｒｃｋ  Ｉｎｄｅｘ、第１５版などに記載されているものがある。
【００９９】
１型もしくは２型の糖尿病、または１型もしくは２型の糖尿病に伴う合併症の処置および／または予防のためのＡＰＩの例としては、インスリン、たとえばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容されるその塩もしくは溶媒和物、またはそれらの任意の混合物が含まれる。本明細書において使用される用語「類似体」および「誘導体」は、元の物質と構造的に十分に類似しており、それによって同様の機能または活性（たとえば治療効果性）を有することができる任意の物質を指す。特に、用語「類似体」は、天然のペプチドの構造、たとえばヒトのインスリンの構造から、天然のペプチド中に見出される少なくとも１つのアミノ酸残基を欠失させるおよび／もしくは交換することによって、ならびに／または少なくとも１つのアミノ酸残基を付加することによって式上で得られる分子構造を有するポリペプチドを指す。付加および／または交換されるアミノ酸残基は、コード可能なアミノ酸残基、または他の天然の残基もしくは完全に合成によるアミノ酸残基とすることができる。インスリン類似体は「インスリン受容体リガンド」とも呼ばれる。特に、用語「誘導体」は、１つまたはそれ以上の有機置換基（たとえば、脂肪酸）が１つまたはそれ以上のアミノ酸に結合している、天然のペプチドの構造、たとえばヒトのインスリンの構造から式上で得られる分子構造を有するポリペプチドを指す。場合により、天然のペプチド中に見出される１つまたはそれ以上のアミノ酸が、欠失され、かつ／もしくはコード不可能なアミノ酸を含む他のアミノ酸によって置換されていてもよく、または、コード不可能なアミノ酸を含むアミノ酸が、天然のペプチドに付加されていてもよい。
【０１００】
インスリン類似体の例としては、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン（インスリングルリジン）；Ｌｙｓ（Ｂ２８），Ｐｒｏ（Ｂ２９）ヒトインスリン（インスリンリスプロ）；Ａｓｐ（Ｂ２８）ヒトインスリン（インスリンアスパルト）；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置換されているヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンがある。
【０１０１】
インスリン誘導体の例としては、たとえば、Ｂ２９−Ｎ−ミリストイル−ｄｅｓ（Ｂ３０）ヒトインスリン；Ｌｙｓ（Ｂ２９）（Ｎ−テトラデカノイル）−ｄｅｓ（Ｂ３０）ヒトインスリン（インスリンデテミル、Ｌｅｖｅｍｉｒ（登録商標））、Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−ω−カルボキシヘプタデカノイル−γ−Ｌ−グルタミル−ｄｅｓ（Ｂ３０）ヒトインスリン（インスリンデグルデク、Ｔｒｅｓｉｂａ（登録商標））、Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンがある。
【０１０２】
ＧＬＰ−１、ＧＬＰ−１類似体およびＧＬＰ−１受容体アゴニストの例としては、たとえば、リキシセナチド（Ｌｙｘｕｍｉａ（登録商標）、エキセナチド（エキセンディン−４、Ｄｙｅｔｔａ（登録商標）、Ｂｙｄｕｒｅｏｎ（登録商標）、アメリカドクトカゲの唾液腺によって産生される３９アミノ酸ペプチド）、リラグルチド（Ｖｉｃｔｏｚａ（登録商標））、セマグルチド、タスポグルチド、アルビグルチド（Ｓｙｎｃｒｉａ（登録商標））、デュラグルチド（Ｔｒｕｌｉｃｉｔｙ（登録商標））、ｒエキセンディン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン（Ｅｌｉｇｅｎ）、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎがある。
【０１０３】
オリゴヌクレオチドの例としては、たとえば：家族性高コレステロール血症の処置のためのコレステロール低下アンチセンス治療薬である、ミポメルセンナトリウム（Ｋｙｎａｍｒｏ（登録商標））がある。
【０１０４】
ＤＰＰ４阻害剤の例としては、ビルダグリプチン、シタグリプチン、デナグリプチン、サキサグリプチン、ベルベリンがある。
【０１０５】
ホルモンの例としては、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストが含まれる。
【０１０６】
多糖類の例としては、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩が含まれる。ポリ硫酸化低分子量ヘパリンの薬学的に許容される塩の例としては、エノキサパリンナトリウムがある。ヒアルロン酸誘導体の例としては、ハイランＧ−Ｆ２０（Ｓｙｎｖｉｓｃ（登録商標））、ヒアルロン酸ナトリウムがある。
【０１０７】
本明細書において使用する用語「抗体」は、免疫グロブリン分子またはその抗原結合部分を指す。免疫グロブリン分子の抗原結合部分の例には、抗原を結合する能力を保持するＦ（ａｂ）およびＦ（ａｂ’）２フラグメントが含まれる。抗体は、ポリクローナル、モノクローナル、組換え型、キメラ型、非免疫型またはヒト化、完全ヒト型、非ヒト型（たとえばネズミ）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。たとえば、抗体は、アイソタイプもしくはサブタイプ、抗体フラグメントまたは変異体とすることができ、これはＦｃ受容体との結合を支持せず、たとえば、突然変異した、または欠失したＦｃ受容体結合領域を有する。用語の抗体はまた、四価二重特異性タンデム免疫グロブリン（ＴＢＴＩ）および／または交差結合領域の配向性を有する二重可変領域抗体様結合タンパク質（ＣＯＤＶ）に基づく抗体結合分子を含む。
【０１０８】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（たとえば、抗体重鎖および／または軽鎖ポリペプチド）由来のポリペプチドを指す。抗体フラグメントは、全長抗体ポリペプチドの切断された部分を含むことができるが、この用語はそのような切断されたフラグメントに限定されない。本発明に有用である抗体フラグメントは、たとえば、Ｆａｂフラグメント、Ｆ（ａｂ’）２フラグメント、ｓｃＦｖ（一本鎖Ｆｖ）フラグメント、直鎖抗体、単一特異性抗体フラグメント、または二重特異性、三重特異性、四重特異性および多重特異性抗体（たとえば、ダイアボディ、トリアボディ、テトラボディ）などの多重特異性抗体フラグメント、一価抗体フラグメント、または二価、三価、四価および多価抗体などの多価抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例が当技術分野で知られている。
【０１０９】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【０１１０】
抗体の例としては、アンチＰＣＳＫ−９ｍＡｂ（たとえばアリロクマブ）、アンチＩＬ−６ｍＡｂ（たとえばサリルマブ）、およびアンチＩＬ−４ｍＡｂ（たとえばデュピルマブ）がある。
【０１１１】
本明細書において説明される任意のＡＰＩの薬学的に許容される塩もまた、薬物送達デバイスにおける薬物または薬剤の使用に企図される。薬学的に許容される塩は、たとえば酸付加塩および塩基性塩である。
【０１１２】
本発明の完全な範囲および精神から逸脱することなく、本明細書に記載するＡＰＩ、配合、装置、方法、システム、および実施形態の様々な構成要素に修正（追加および／または削除）を加えることができ、本発明は、そのような修正およびそのあらゆる均等物を包含することが、当業者には理解されよう。
【図１】
2020513902.tif 000003
【図２】
2020513902.tif 000004
【図３Ａ】
2020513902.tif 000005
【図３Ｂ】
2020513902.tif 000006
【図４】
2020513902.tif 000007
【図５Ａ】
2020513902.tif 000008
【図５Ｂ】
2020513902.tif 000009
【図６Ａ】
2020513902.tif 000010
【図６Ｂ】
2020513902.tif 000011
【図６Ｃ】
2020513902.tif 000012
【国際調査報告】
2020513902.tif 000013
2020513902.tif 000014